(57)【要約】【課題】  ルアー本体内で常にラトルボールが音を発生せしめ、効果的に魚の興味を引き立て得るルアーを提供する。  【解決手段】  このルアーは、内部に中空部分を有するルアー本体１と、ルアー本体１の内部に収納されているラトルボール１０とを有するラトルルアーである。ルアー本体１は、その中空の一部を区画して形成されたラトル収納部１ａを有する。そして、その中にラトルボール１０を収納し、このラトルボール１０がルアー本体１の幅方向に移動自在になっている。なお、ラトル収納部１ａの少なくとも底部分には、複数の孔が形成された金属板１１が配置されている。【選択図】      図２
2005210951.tif 000002
【特許請求の範囲】
【請求項１】
内部に中空部分を有するルアー本体と、
前記ルアー本体の内部に収納されているラトルボールと、
前記ルアー本体の中空の一部を区画して形成され、その中に前記ラトルボールを収納し且つ前記ラトルボールが前記ルアー本体の幅方向に移動自在なラトル収納部と、
前記ラトル収納部の少なくとも底部分に配置される複数の孔若しくは凹凸が形成された金属部とを備えた、ルアー。
【請求項２】
前記ラトル収納部はその軸長方向両端面が開口している筒型の金属パイプであり、
前記金属パイプには複数の孔若しくは凹凸が形成されている、請求項１に記載のルアー。
【請求項３】
前記ラトル収納部は前記ルアー本体の長手方向に並んで複数箇所に形成されており、それぞれのラトル収納部に前記ラトルボールが前記ルアー本体の幅方向に移動自在に収納されている、請求項１または２に記載のルアー。
【発明の詳細な説明】
【技術分野】
【０００１】
本発明はルアー、特に、ルアー本体内に音を発生させるためのラトルボールを有するタイプのルアーに関する。
【背景技術】
【０００２】
魚釣りの際に用いられる偽餌であるルアーには様々なタイプのものがあり、魚の興味を引き立てるために種々の工夫が為されている。ルアーの中には、中空のルアー本体内にラトルボールと呼ばれる音を発生させるためのボールを有するタイプのルアーがある。このタイプのルアーは、水中でルアーを泳動させるとルアー本体内でラトルボールが移動し、ルアー本体の内面に当たり、衝突音を発生し、魚の興味を引き立てている。
【０００３】
このタイプのルアーに於いてもさらに種々の工夫が施されている。例えば、あるルアーは、ラトルボールの材質を選定し、さらに複数のラトルボールが衝突し合うようにして、魚の興味を引き立てている。さらに、本件出願人も、ラトルボールが衝突する音発生板をルアー本体内に配置し、種々の音を発生させるようにしたルアーを提案した（特許文献１参照）。
【０００４】
しかし、従来の各種のこのタイプのルアーは、水中で泳動するルアーの本体内において、ルアーが前後左右に傾き、ラトルボールがルアー本体の内壁部分に当たって音を発生することを前提としている。即ち、ラトルボールがルアー本体内で移動しルアー本体の内壁面に至った際にしか、ラトルボールが効果的な音を発生しない。この点、本件出願人も上述の特許文献１において、ラトルボールが移動する底面にも音発生板を配置することを提案したが、必ずしもラトルボールがルアー本体内で移動している際にも音を十分に発生せしめるものではない。
【特許文献１】特開平10-248441号公報
【発明の開示】
【発明が解決しようとする課題】
【０００５】
本発明は、ルアー本体内で常にラトルボールが音を発生せしめ、効果的に魚の興味を引き立て得るルアーを提供するものである。
【課題を解決するための手段】
【０００６】
本発明のルアーは、内部に中空部分を有するルアー本体と、ルアー本体の内部に収納されているラトルボールと、ルアー本体の中空の一部を区画して形成され、その中にラトルボールを収納し且つラトルボールがルアー本体の幅方向に移動自在なラトル収納部と、ラトル収納部の少なくとも底部分に配置される複数の孔若しくは凹凸が形成された金属部とを備えている。
【０００７】
このルアーは、水中に投じられた後に、釣人が釣糸を巻き上げ若しくは釣竿を振る等の釣り操作を行って水中で泳動させられると、水流を受けて左右乃至前後に傾く動作を繰り返す。すると、ラトルボールがその動作に従ってラトル収納部内で金属部の孔若しくは凹凸に当たりながら移動し、移動しながらラトル音を発生する。
【０００８】
例えば、ラトル収納部はその軸長方向両端面が開口している筒型の金属パイプとしてもよい。この金属パイプには複数の孔若しくは凹凸が形成される。このような金属パイプ内を移動するラトルボールは、パイプの孔若しくは凹凸に当たりながら移動して、移動しながらラトル音を発生する。さらに、金属パイプのように閉塞した空域でラトルボールを移動させることで、ラトル音を反響させて効果的にラトル音を発生させ得る。また、ルアーの動作に伴い、イレギュラーなラトル音を発生する。
【０００９】
また、ラトル収納部はルアー本体の長手方向に並んで複数箇所に形成し、それぞれのラトル収納部にラトルボールがルアー本体の幅方向に移動自在に収納してもよい。複数のラトル収納部でそれぞれラトルボールが移動しながら音を発生し、より複雑な音を発生する。
【発明の効果】
【００１０】
本発明にかかるルアーは、水中で常に効果的に音を発生することができる。
【発明を実施するための最良の形態】
【００１１】
［第１実施形態］
以下、本発明の第１の実施形態について図面を参照しつつ説明する。
【００１２】
図１に、本発明の第１実施形態を採用したルアーを示す。このルアーは、外形が小魚に似せて形成されているルアー本体１と、ルアー本体１の頭部側端部から斜め下方に突出するリップ２と、ルアー本体１の頭部に連結される釣糸を連結するためのアイ３と、ルアー本体１の腹部に釣針を連結するためのアイ４，５とを有している。アイ４，５には、図１に示すように、スプリットリングなどを介して釣針を取り付ける。また、必要に応じて、ルアー本体１の尾部側端部にも別途アイを取り付けても良い。若しくは、ルアー本体１の尾部側端部に水流を受けて回転自在なプロペラなどを取り付けても良い。
【００１３】
ルアー本体１は、図２に示すような中空の左右の半割部材を貼り合わせて一体化された合成樹脂等から形成されるものある。その形状は上述のように魚を模して形成されており、外周面には鱗模様・目・鰓等が必要に応じて描かれる。この半割部材の貼り合わせ面の一部に埋め込まれた状態で、ルアー本体１の頭部側に、上述のアイ３が、腹部にもアイ４，５がそれぞれ配置される。リップ２は、ルアー本体１の頭部側下面から斜め下方に延びる板状の部分であり、水中で水流を受け止める部分である。ルアー本体１の他の部分と一体的に形成される。また、リップ２の先端には必要に応じて錘６が埋め込まれる。さらに、ルアー本体１の内部には、必要に応じて他の錘を埋め込んでも良い。
【００１４】
図２及び図３に示すように、このルアー本体１の内部の中空の一部は他の部分と区分けされてラトル収納部１ａとなっている。このルアーでは、ラトル収納部１ａをルアー本体１の長手方向に並べて３カ所形成している。それぞれのラトル収納部１ａには、図３に示すように、その内部にラトルボール１０が収納されている。ラトル収納部１ａはルアー本体１の幅方向にこのラトルボール１０が移動可能なようになっている。ラトルボール１０は、金属若しくは硬質合成樹脂等からなる球体である。
【００１５】
また、このラトル収納部１ａの底面側には金属板１１が配置されている。金属板１１は、図４に詳しく示すように、例えば、スチール，アルミニウム等の合金からなる板状の部材であり、板面を貫通する複数の孔がランダムに形成されている。孔はラトルボール１０が逸落しない程度の大きさのものであり、ラトルボール１０は金属板１１上を回転しながら移動する。
【００１６】
このように構成されるルアーは、以下のようにして用いられる。即ち、釣人はアイ３に釣糸を係止し、図１に示すように、アイ４，５に釣針を連結し、水中にこのルアーを投じ、釣糸を巻き上げ若しくは釣竿を動かしてルアーを水中で泳動させる。水中において、このルアーは水流を受けて左右に傾く動作等を繰り返す。すると、ラトルボール１０がその動作に従ってラトル収納部１ａ内の金属板１１上で回転し移動する。この際、金属板１１の孔にラトルボール１０が当たりながら移動し、移動しながら種々のラトル音を発生する。また、ラトル収納部１ａのその余の内壁面に衝突し、別のラトル音も発生する。そして、様々なラトル音を発生させながら、魚の興味を引き立てる。
【００１７】
［第２実施形態］
別のルアーのルアー本体２１を図５に示す。このルアー本体２１も上述の第１実施形態と凡その構造は同一であり、左右の半割部材を貼り合わせて形成される。
【００１８】
このルアー本体２１の内部の中空の腹部側の一部分は、ルアー本体２１の幅方向に延びる円筒型に区分けされている。図５においては円筒型に区分けした領域の上端を閉塞していないタイプの例を示すが、完全に腹部側の一部分を円筒型に区分けして形成してもよい。また、このルアーでは、この区分けした円筒型の部分をルアー本体２１の長手方向に並べて２カ所形成しているが、その数も任意に設定可能である。
【００１９】
このように円筒型に区分けされたルアー本体２１のぞれぞれの領域に、図６に示すように、金属パイプ２５が収納されている。金属パイプ２５は軸長方向をルアー本体２１の幅方向として配置される。金属パイプ２５は、軸長方向の両端面が開口した円筒型のものである。そして、この金属パイプ２５の周面には複数の貫通孔がランダムに形成されている。
【００２０】
それぞれの金属パイプ２５の中には、図６に示すように、ラトルボール１０が収納されており、金属パイプ２５内でラトルボール１０はその軸長方向に移動する。金属パイプ２５の孔はラトルボール１０が逸落しない程度の大きさのものである。なお、このルアーでは、金属パイプ２５の孔は円型に統一しているが、種々の形状の孔をランダムに形成してもよい。
【００２１】
このように構成されるルアーも、上記第１実施形態のルアーと同様にして用いられることになる。そして、水中において、このルアーは水流を受けて左右に傾く動作等を繰り返す。すると、ラトルボール１０がその動作に従って金属パイプ２５内で回転し移動する。この際、金属パイプ２５の孔にラトルボール１０が当たりながら移動し、移動しながら種々のラトル音を発生する。さらに、このような閉塞された金属パイプ２５内でラトルボール１０が移動しつつ音を発生するので、その金属パイプ２５内でラトル音が反響し、より複雑な音を発生し得る。
【００２２】
［第３実施形態］
さらに別の変形例を図７及び図８に示す。
【００２３】
このルアーのルアー本体３１も上述の第１実施形態同様に中空の左右の半割部材を貼り合わせて形成される。そして、腹部付近には、その中空の一部が区画され、ラトル収納部３１ａが形成されている。
【００２４】
ラトル収納部３１ａは、ルアー本体３１の幅方向に長い円筒型に成型されており、その底面側には、図８に詳しく示すように、円筒を軸長方向に半割にしたような金属板３５が収納されている。金属板３５は、その内面に複数の小突起がランダムに形成されている。そして、この金属板３５の上にラトルボール１０が収納されて、ルアー本体３１の幅方向に移動可能となっている。
【００２５】
このように構成されるルアーも、第１実施形態に係るルアーと同様に用いられ、様々なラトル音を効果的に発生する。
【００２６】
［その他の実施形態］
金属パイプの形状は上述の実施形態のようなものに限定されず、角柱型のものも利用できる。また、その金属パイプの内面には孔と突起とを形成してもよい。
【００２７】
また、ここでは、主にルアー本体の幅方向にラトルボールが移動することが予定されているが、これに限定されるものではなく、ルアー本体の長手方向にラトルボールが移動するようなラトル収納部を形成することも当然に可能である。
【図面の簡単な説明】
【００２８】
【図１】本発明の第１実施形態を採用したルアーを示した図。
【図２】図１のルアーの断面図。
【図３】図１のルアーのIII-III断面図。
【図４】金属板１１の参考図。
【図５】本発明の第２実施形態を採用したルアーの図２に相当する図。
【図６】図５のルアーの図３に相当する図。
【図７】本発明の第３実施形態を採用したルアーの図２に相当する図。
【図８】図７のルアーの金属板３５を示した図。
【符号の説明】
【００２９】
１，２１，３１  ルアー本体
１ａ，３１ａ  ラトル収納部
１０  ラトルボール
１１，３５  金属板
２５  金属パイプ（ラトル収納部）
【図１】
2005210951.tif 000003
【図２】
2005210951.tif 000004
【図３】
2005210951.tif 000005
【図４】
2005210951.tif 000006
【図５】
2005210951.tif 000007
【図６】
2005210951.tif 000008
【図７】
2005210951.tif 000009
【図８】
2005210951.tif 000010